(57)【要約】【課題】移動局が異なる基地局の配下のCCを用いて通信する際に、基地局との再接続を実現することを目的とする。【解決手段】異なる基地局の配下のコンポーネントキャリアを用いて通信する移動局は、再接続手順を起動する契機を判定する再接続判定部と、プライマリセルの情報及びセカンダリセルの情報のうち少なくとも１つを用いて再接続要求を生成する再接続要求部と、再接続要求を送信する送信部とを有する。また、移動局が異なる基地局の配下のコンポーネントキャリアを用いて通信する無線システムにおける基地局は、移動局から再接続要求を受信する受信部と、受信した再接続要求をプライマリセルの基地局に転送する再接続要求転送部とを有する。【選択図】図５
2015142363.tif 000002
【特許請求の範囲】
【請求項１】
異なる基地局の配下のコンポーネントキャリアを用いて通信する移動局であって、
再接続手順を起動する契機を判定する再接続判定部と、
プライマリセルの情報及びセカンダリセルの情報のうち少なくとも１つを用いて再接続要求を生成する再接続要求部と、
再接続要求を送信する送信部と、
を有する移動局。
【請求項２】
前記再接続要求部は、プライマリセルの情報及びセカンダリセルの情報を所定の順序で選択し、再接続要求を生成する、請求項１に記載の移動局。
【請求項３】
異なる基地局の配下のコンポーネントキャリアを用いて通信する移動局における再接続要求方法であって、
再接続手順を起動する契機を判定するステップと、
プライマリセルの情報及びセカンダリセルの情報のうち少なくとも１つを用いて再接続要求を生成するステップと、
再接続要求を送信するステップと、
を有する再接続要求方法。
【請求項４】
移動局が異なる基地局の配下のコンポーネントキャリアを用いて通信する無線システムにおける基地局であって、
移動局から再接続要求を受信する受信部と、
受信した再接続要求をプライマリセルの基地局に転送する再接続要求転送部と、
を有する基地局。
【請求項５】
プライマリセルの情報を格納するプライマリセル情報記憶部を更に有し、
前記再接続要求転送部は、受信した再接続要求に含まれる情報が前記プライマリセル情報記憶部に格納されたプライマリセルの情報と一致する場合、受信した再接続要求をプライマリセルの基地局に転送する、請求項４に記載の基地局。
【請求項６】
移動局が異なる基地局の配下のコンポーネントキャリアを用いて通信する無線システムにおける基地局の再接続要求処理方法であって、
移動局から再接続要求を受信するステップと、
受信した再接続要求をプライマリセルの基地局に転送するステップと、
を有する再接続要求処理方法。
【請求項７】
異なる基地局の配下のコンポーネントキャリアを用いて通信する移動局であって、
基地局から通知された再接続先セルの情報を管理する再接続先セル管理部と、
再接続手順を起動する契機を判定する再接続判定部と、
前記再接続先セル管理部により管理されている再接続先セルの情報を用いて再接続要求を生成する再接続要求部と、
再接続要求を送信する送信部と、
を有する移動局。
【請求項８】
異なる基地局の配下のコンポーネントキャリアを用いて通信する移動局における再接続要求方法であって、
基地局から通知された再接続先セルの情報を管理するステップと、
再接続手順を起動する契機を判定するステップと、
管理されている再接続先セルの情報を用いて再接続要求を生成するステップと、
再接続要求を送信するステップと、
を有する再接続要求方法。
【請求項９】
移動局が異なる基地局の配下のコンポーネントキャリアを用いて通信する無線システムにおける基地局であって、
移動局に対して再接続先セルを指定する再接続先セル指定部と、
移動局から再接続要求を受信する受信部と、
受信した再接続要求が自局宛の再接続要求ではない場合、受信した再接続要求を前記再接続先セル指定部で指定した再接続先セルに対応する基地局に転送する再接続要求転送部と、
を有する基地局。
【請求項１０】
移動局が異なる基地局の配下のコンポーネントキャリアを用いて通信する無線システムにおける基地局の再接続要求処理方法であって、
移動局に対して再接続先セルを指定するステップと、
移動局から再接続要求を受信するステップと、
受信した再接続要求が自局宛の再接続要求ではない場合、受信した再接続要求を前記指定した再接続先セルに対応する基地局に転送するステップと、
を有する再接続要求処理方法。
【発明の詳細な説明】
【技術分野】
【０００１】
本発明は、移動局、再接続要求方法、基地局及び再接続要求処理方法に関する。
【背景技術】
【０００２】
LTE（Long Term Evolution）システムでは、基地局（eNB：evolved Node B）と移動局（UE：User Equipment）との間の無線リンクで移動局が異常を検出した場合、基地局に対して再接続手順を実施することが規定されている（非特許文献１参照）。
【０００３】
再接続手順を起動する契機としては、無線リンク障害（Radio Link failure）の検出（例えば、下りリンクの品質劣化、RA（Random Access） preamble最大再送回数の超過、RLC（Radio Link Control）レイヤにおける最大再送回数の超過等）、ハンドオーバ障害の検出、インテグリティ障害（Integrity failure）の検出、リコンフィグレーション障害（Reconfiguration failure）の検出等がある。
【０００４】
図１に、LTEシステムにおける再接続手順を示す。移動局（UE）が上記のような障害を検出した場合、移動局は基地局（eNB）に対してRA preambleを送信する。具体的には、移動局はプリアンブルをランダムに選択し、ランダムアクセスチャネルで送信する。基地局は、プリアンブルを検出すると、RA responseを送信する。RA responseには送信割り当て情報が含まれている。移動局は、RA responseで指定された送信割り当て情報に従って、再接続要求、すなわち、RRC connection re-establishment requestを送信する。RRC connection re-establishment requestには、接続していたセルの識別子としてPCI（Physical Cell Identifier）、移動局の識別子としてC-RNTI（Cell-Radio Network Temporary Identifier）が含まれている。基地局は、移動局個別のコンフィグレーションを行い、RRC connection re-establishmentを移動局に送信する。その後、移動局と基地局との間でRRC connection re-establishment complete、RRC connection reconfiguration、RRC connection reconfiguration completeの送受信が行われ、移動局と基地局との間で再接続が完了する。
【先行技術文献】
【非特許文献】
【０００５】
【非特許文献１】3GPP TS36.331 V12.0.0 (2013-12)
【発明の概要】
【発明が解決しようとする課題】
【０００６】
LTE-Advancedシステムでは、複数のコンポーネントキャリア（CC：Component Carrier）を用いて高スループットを実現するキャリアアグリゲーション（CA：Carrier Aggregation）が検討されている。CAでは、同一基地局の配下の複数のCCを用いることができるだけでなく、異なる基地局の配下のCCを用いることも検討されている。異なる基地局の配下のCCを用いて通信を行うことをDual Connectivityと呼ぶ。Dual Connectivityは、例えば、全てのCCを１つの基地局内に収容することができない場合や、理想的なバックホール（ideal backhaul）が十分に設置できないエリアにおいて高スループットを実現する際に有用である。
【０００７】
Dual Connectivityにおいて、移動局は接続する基地局の数だけC-RNTIを保持することが想定される。すなわち、プライマリセル（PCell：Primary Cell）の基地局と通信するためのC-RNTIは、セカンダリセル（SCell：Secondary Cell）の基地局と通信するためのC-RNTIと異なることが想定される。
【０００８】
一方、図１を参照して説明した再接続手順において、移動局がRRC connection re-establishment requestを送信する際に、PCI及びC-RNTIを送信する必要があるが、Dual Connectivityにおいては、どのセルの情報を使用するべきかは規定されていない。このため、移動局から送信されたRRC connection re-establishment requestが基地局で受け付けられず、再接続が失敗する可能性がある。
【０００９】
本発明は、移動局が異なる基地局の配下のCCを用いて通信する際に、基地局との再接続を実現することを目的とする。
【課題を解決するための手段】
【００１０】
本発明の一形態に係る移動局は、
異なる基地局の配下のコンポーネントキャリアを用いて通信する移動局であって、
再接続手順を起動する契機を判定する再接続判定部と、
プライマリセルの情報及びセカンダリセルの情報のうち少なくとも１つを用いて再接続要求を生成する再接続要求部と、
再接続要求を送信する送信部と、
を有する。
【００１１】
また、本発明の一形態に係る再接続要求方法は、
異なる基地局の配下のコンポーネントキャリアを用いて通信する移動局における再接続要求方法であって、
再接続手順を起動する契機を判定するステップと、
プライマリセルの情報及びセカンダリセルの情報のうち少なくとも１つを用いて再接続要求を生成するステップと、
再接続要求を送信するステップと、
を有する。
【００１２】
また、本発明の一形態に係る基地局は、
移動局が異なる基地局の配下のコンポーネントキャリアを用いて通信する無線システムにおける基地局であって、
移動局から再接続要求を受信する受信部と、
受信した再接続要求をプライマリセルの基地局に転送する再接続要求転送部と、
を有する。
【００１３】
また、本発明の一形態に係る再接続要求処理方法は、
移動局が異なる基地局の配下のコンポーネントキャリアを用いて通信する無線システムにおける基地局の再接続要求処理方法であって、
移動局から再接続要求を受信するステップと、
受信した再接続要求をプライマリセルの基地局に転送するステップと、
を有する。
【００１４】
また、本発明の一形態に係る移動局は、
異なる基地局の配下のコンポーネントキャリアを用いて通信する移動局であって、
基地局から通知された再接続先セルの情報を管理する再接続先セル管理部と、
再接続手順を起動する契機を判定する再接続判定部と、
前記再接続先セル管理部により管理されている再接続先セルの情報を用いて再接続要求を生成する再接続要求部と、
再接続要求を送信する送信部と、
を有する。
【００１５】
また、本発明の一形態に係る再接続要求方法は、
異なる基地局の配下のコンポーネントキャリアを用いて通信する移動局における再接続要求方法であって、
基地局から通知された再接続先セルの情報を管理するステップと、
再接続手順を起動する契機を判定するステップと、
管理されている再接続先セルの情報を用いて再接続要求を生成するステップと、
再接続要求を送信するステップと、
を有する。
【００１６】
また、本発明の一形態に係る基地局は、
移動局が異なる基地局の配下のコンポーネントキャリアを用いて通信する無線システムにおける基地局であって、
移動局に対して再接続先セルを指定する再接続先セル指定部と、
移動局から再接続要求を受信する受信部と、
受信した再接続要求が自局宛の再接続要求ではない場合、受信した再接続要求を前記再接続先セル指定部で指定した再接続先セルに対応する基地局に転送する再接続要求転送部と、
を有する。
【００１７】
また、本発明の一形態に係る再接続要求処理方法は、
移動局が異なる基地局の配下のコンポーネントキャリアを用いて通信する無線システムにおける基地局の再接続要求処理方法であって、
移動局に対して再接続先セルを指定するステップと、
移動局から再接続要求を受信するステップと、
受信した再接続要求が自局宛の再接続要求ではない場合、受信した再接続要求を前記指定した再接続先セルに対応する基地局に転送するステップと、
を有する。
【発明の効果】
【００１８】
本発明によれば、移動局が異なる基地局の配下のCCを用いて通信する際に、基地局と再接続することが可能になる。
【図面の簡単な説明】
【００１９】
【図１】移動局から基地局への再接続手順を示すシーケンス図
【図２】本発明の実施例が適用される無線通信システムの概略図
【図３】本発明の実施例による移動局の構成図
【図４】本発明の実施例の第１の手法又は第２の手法による基地局の構成図
【図５】本発明の実施例の第１の手法による再接続要求方法のフローチャート
【図６】本発明の実施例の第１の手法による移動局から基地局への再接続手順を示すシーケンス図
【図７】本発明の実施例の第２の手法による再接続要求方法のフローチャート
【図８】本発明の実施例の第２の手法による移動局から基地局への再接続手順を示すシーケンス図
【図９】本発明の実施例の第３の手法による基地局の構成図
【図１０】本発明の実施例の第３の手法による再接続要求方法のフローチャート
【図１１】本発明の実施例の第３の手法による移動局から基地局への再接続手順を示すシーケンス図
【発明を実施するための形態】
【００２０】
以下、本発明の実施例について図面を参照して説明する。
【００２１】
本発明の実施例では、キャリアアグリゲーション（CA）の中でも、移動局が異なる基地局の配下のコンポーネントキャリア（CC）を用いて通信する場合について説明する。このようなCAの接続形態をDual Connectivityと呼ぶ。
【００２２】
図２に、本発明の実施例が適用される無線通信システムの概略図を示す。図２では、移動局（UE）は、２つの基地局の配下のCC（CC#1及びCC#2）を用いて通信することで、Dual Connectivityを実現している。CAでは、移動局との接続性を担保する信頼性の高いプライマリセル（PCell）と、プライマリセルに接続中の移動局に追加的に設定されるセカンダリセル（SCell）とが設定される。例えば、図２の例において、２つのCCの一方がPCellに設定され、他方がSCellに設定されてもよい。なお、図２では、２つのCCが設定されているが、３つ以上のCCが設定されてもよい。PCellに対応する基地局は、MeNB（Master eNB）と呼ばれ、SCellに対応する基地局はSeNB（Secondary eNB）と呼ばれる。図２では、MeNBが広いカバレッジを提供するマクロセル基地局であり、SeNBが狭いカバレッジを提供するスモールセル基地局であるが、MeNBがスモールセル基地局に対応し、SeNBがマクロセル基地局に対応してもよい。
【００２３】
Dual Connectivityにおいて、同一UEに対して設定されているすべての基地局に対して同一のC-RNTIの割り当てを行う場合、基地局間のコーディネーションが必要となるため、ネットワークの実装が複雑になる可能性がある。そのため、移動局は接続する基地局の数だけC-RNTIを保持することが想定される。C-RNTIとは、セル内で移動局を識別するための識別子であり、移動局は、対応するC-RNTIを用いてスクランブル解除を行う。一方、移動局から基地局への再接続手順において、移動局は、再接続要求（RRC connection re-establishment request）の中で、接続していたセルの識別子（PCI）及び移動局の識別子（C-RNTI）を報告する必要がある。本発明の実施例では、Dual Connectivityにおいて再接続要求に用いるセルの情報（PCI及びC-RNTI）を決定するために、以下の３つの手法について説明する。
【００２４】
（１）第１の手法
移動局が、MeNBのPCellの情報を用いて再接続要求を行う。再接続先の基地局がMeNBである場合、MeNBと移動局との間で図１に示す再接続手順が行われる。一方、再接続先の基地局がSeNBである場合、SeNBは再接続要求をMeNBに転送し、MeNBと移動局との間で図１に示す再接続手順が行われる。
【００２５】
（２）第２の手法
移動局が、接続していたeNBに対するセルの情報を順次用いて再接続要求を行う。例えば、移動局は、MeNBのPCellの情報を用いて再接続を行い、MeNBへの再接続が失敗した場合に所定の順序でSeNBのSCellの情報を順に選択して再接続要求を行う。再接続先の基地局がMeNBである場合、MeNBと移動局との間で図１に示す再接続手順が行われる。再接続先の基地局がSeNBである場合、SeNBは再接続要求をMeNBに転送し、MeNBと移動局との間で図１に示す再接続手順が行われる。
【００２６】
（３）第３の手法
移動局が、基地局から指定されたセルの情報を用いて再接続要求を行う。基地局はDual Connectivityの設定時に、移動局に対して再接続要求内で報告するセルを指定する。移動局は指定されたセルの情報を用いて再接続要求を行い、基地局と移動局との間で図１に示す再接続手順が行われる。
【００２７】
それぞれの手法について、以下に詳細に説明する。
【００２８】
＜第１の手法＞
本発明の実施例の第１の手法では、移動局が、MeNBのPCellの情報を用いて再接続要求を行う。
【００２９】
図３に、本発明の実施例の第１の手法による移動局１０の構成図を示す。移動局１０は、DL（downlink）信号受信部１０１と、UL（uplink）信号送信部１０３と、品質測定部１０５と、再接続判定部１０７と、再接続要求部１０９と、CC管理部１１１と、識別子管理部１１３とを有する。
【００３０】
DL信号受信部１０１は、基地局からの下りリンク信号を受信する。再接続手順に関して、DL信号受信部１０１は、基地局からRA response、RRC connection re-establishment、RRC connection reconfigurationのようなメッセージを受信する。また、DL信号受信部１０１は、基地局に対する受信品質を測定するための信号を受信する。
【００３１】
UL信号送信部１０３は、基地局に上りリンク信号を送信する。再接続手順に関して、UL信号送信部１０３は、基地局にRA preamble、RRC connection re-establishment request、RRC connection re-establishment complete、RRC connection reconfiguration completeのようなメッセージを送信する。
【００３２】
品質測定部１０５は、DL信号受信部１０１で受信した所定の信号に基づいて基地局に対する受信品質を測定する。測定された受信品質は、移動局が接続する基地局を選択するために用いられる。移動局は、受信品質の最も良い基地局（ベストセル）に接続するため、再接続時においても、受信品質の最も良い基地局に接続を試みる。
【００３３】
再接続判定部１０７は、再接続手順を起動する契機を判定する。例えば、再接続判定部１０７は、無線リンク障害（例えば、下りリンクの品質劣化、RA preamble最大再送回数の超過、RLCレイヤにおける最大再送回数の超過等）、ハンドオーバ障害、インテグリティ障害、リコンフィグレーション障害を検出する。
【００３４】
再接続要求部１０９は、基地局に対して再接続手順を実施する。再接続要求部１０９は、MeNBのPCellの情報を用いて再接続要求（RRC connection re-establishment request）を生成する。以下に説明するように、PCellの情報は識別子管理部１１３で管理されている。具体的には、再接続要求部１０９は、識別子管理部１１３で管理されているPCellの識別子（PCI）、PCellにおける移動局の識別子（C-RNTI）及び移動局のセキュリティ情報（shortMAC-I）を用いてRRC connection re-establishment requestを生成する。
【００３５】
CC管理部１１１は、基地局との間に設定されているCCを管理する。CCの追加或いは削除は、基地局からのRRC connection configurationにより指示される。
【００３６】
識別子管理部１１３は、移動局が接続しているセルで用いられる識別子を管理する。具体的には、移動局が接続しているセル毎に、PCI、C-RNTI及びshortMAC-Iを管理する。ただし、SeNBに対してshortMAC-Iが割り当てられない場合がある。
【００３７】
次に、基地局について説明する。移動局からの再接続要求を受信した基地局がMeNBである場合、図１に示す再接続手順が行われる。すなわち、基地局は通常の再接続手順を行えばよい。一方、移動局から送信された再接続要求を受信した基地局がSeNBである場合、SeNBは再接続要求をMeNBに転送し、MeNBと移動局との間で図１に示す再接続手順が行われる。このときのSeNBの構成について詳細に説明する。
【００３８】
図４に、本発明の実施例の第１の手法による基地局２０の構成図を示す。基地局２０は、UL信号受信部２０１と、DL信号送信部２０３と、PCell情報記憶部２０５と、再接続要求転送部２０７と、CC管理部２０９と、識別子管理部２１１と、eNB間通信部２１３とを有する。
【００３９】
UL信号受信部２０１は、移動局からの信号を受信する。再接続手順に関して、受信部２０１は、移動局からRA preamble、RRC connection re-establishment requestのようなメッセージを受信する。
【００４０】
DL信号送信部２０３は、移動局に信号を送信する。再接続手順に関して、送信部２０３は、移動局にRA responseのようなメッセージを送信する。
【００４１】
PCell情報記憶部２０５は、eNB間通信部２１３を介してMeNBから受信したPCellの情報を格納する。具体的には、PCell情報記憶部２０５は、SCellを追加する際にMeNBからPCellのPCI及びC-RNTIを受信し、受信したPCI及びC-RNTIを格納する。なお、eNB間通信部２１３は、eNB間で通信するためのインタフェースである。
【００４２】
再接続要求転送部２０７は、移動局から受信した再接続要求（RRC connection re-establishment request）を、eNB間通信部２１３を介してMeNBに転送する。再接続要求転送部２０７は、移動局からRRC connection re-establishment requestを受信すると、RRC connection re-establishment requestに含まれるPCI及びC-RNTIがPCell情報記憶部２０５に格納されたPCellのPCI及びC-RNTIと一致するか否かを確認し、一致する場合、RRC connection re-establishment requestをMeNBに転送する。
【００４３】
CC管理部２０９は、移動局に対して設定したCCを管理する。CCの追加或いは削除は、基地局からのRRC connection configurationにより指示される。
【００４４】
識別子管理部２１１は、移動局が通信するために割り当てた識別子を管理する。具体的には、移動局に割り当てたC-RNTI及びshortMAC-Iを管理する。ただし、SeNBに対してshortMAC-Iが割り当てられない場合がある。
【００４５】
上記のように、eNB間通信部２１３は、eNB間で通信するためのインタフェースである。
【００４６】
MeNBがSeNBにより転送されたRRC connection re-establishment requestを受信すると、MeNBと移動局との間でRRC connection re-establishment、RRC connection re-establishment complete、RRC connection reconfiguration、RRC connection reconfiguration completeのメッセージが交換され、再接続手順が完了する。
【００４７】
なお、SeNBは、RRC connection re-establishment requestをMeNBに転送するだけでなく、その応答であるRRC connection re-establishmentをMeNBから受信して移動局に転送してもよい。また、SeNBは、図１に示す再接続手順の他のメッセージ（RRC connection re-establishment complete、RRC connection reconfiguration、RRC connection reconfiguration complete）をMeNB或いは移動局に転送してもよい。
【００４８】
図５に、本発明の実施例の第１の手法による再接続要求方法を示す。図５に示す方法は、移動局により実施される手順を示している。
【００４９】
移動局の再接続判定部１０７が再接続手順を起動する契機を検出した場合、移動局の再接続要求部１０９は、基地局に対して再接続手順を起動する（ステップＳ１１）。
【００５０】
再接続要求部１０９は、MeNBのPCellの情報を用いて再接続要求（RRC connection re-establishment request）を生成し、基地局に送信する（ステップＳ１２）。具体的には、再接続要求部１０９は、識別子管理部１１３において管理されているPCellのPCI、C-RNTI及びshortMAC-Iを用いてRRC connection re-establishment requestを生成し、送信する。
【００５１】
図６に、本発明の実施例の第１の手法による移動局から基地局への再接続手順を示す。
【００５２】
まず、MeNBは、事前にPCellの情報（PCI及びC-RNTI）をSeNBに通知する（ステップＳ１０１）。PCellの情報は、SCellを追加する際にSeNBのeNB間通信部２１３を介して受信され、SeNBのPCell情報記憶部２０５に格納される。
【００５３】
移動局の再接続判定部１０７が再接続手順を起動する契機を検出した場合、移動局の再接続要求部１０９は、基地局に対して再接続手順を実施する。MeNBの受信品質が良く、移動局がMeNBに再接続を要求する場合は、図１に示す再接続手順が実施されるため、ここでは説明を省略する。SeNBの受信品質が良く、移動局がSeNBに再接続を要求する場合、移動局の再接続要求部１０９は、SeNBに対してRA preambleを送信する（ステップＳ１０３）。そして、SeNBから送信割り当て情報を含むRA responseを受信する（ステップＳ１０５）。
【００５４】
移動局の再接続要求部１０９は、PCellのPCI及びC-RNTIを用いてRRC connection re-establishment requestを生成し、SeNBに送信する（ステップＳ１０７）。
【００５５】
SeNBの再接続要求転送部２０７は、移動局から受信したRRC connection re-establishment requestに含まれるPCI及びC-RNTIがPCell情報記憶部２０５に格納されたPCI及びC-RNTIと一致するか否かを確認し、一致する場合、RRC connection re-establishment requestをMeNBに転送する（ステップＳ１０９）。
【００５６】
その後、移動局とMeNBとの間で再接続手順が実施され、RRC connection re-establishment（ステップＳ１１１）、RRC connection re-establishment complete（ステップＳ１１３）、RRC connection reconfiguration（ステップＳ１１５）、RRC connection reconfiguration complete（ステップＳ１１７）の送受信が行われる。
【００５７】
なお、図６では、RRC connection re-establishment、RRC connection re-establishment complete、RRC connection reconfiguration及びRRC connection reconfiguration completeが移動局とMeNBとの間で送受信されているが、これらのメッセージのうち１つ以上がSeNBを介して送受信されてもよい。
【００５８】
＜第２の手法＞
本発明の実施例の第２の手法では、移動局が、接続していたeNBに対するセルの情報を順次用いて再接続要求を行う。例えば、移動局は、MeNBのPCellの情報を用いて再接続を行い、MeNBへの再接続が失敗した場合に所定の順序でSeNBのSCellの情報を順に選択して再接続要求を行う。
【００５９】
本発明の実施例の第２の手法による移動局１０は、図３と同様に構成される。DL信号受信部１０１、UL信号送信部１０３、品質測定部１０５、再接続判定部１０７、CC管理部１１１及び識別子管理部１１３は、図３を参照して説明した通りであるため、ここでは繰り返し説明しない。なお、再接続手順に関して、DL信号受信部１０１は、再接続要求（RRC connection re-establishment request）が失敗した場合にRRC connection re-establishment rejectを受信する。
【００６０】
再接続要求部１０９は、基地局に対して再接続手順を実施する。再接続要求部１０９は、PCellの情報及びSCellの情報を所定の順序で選択し、再接続要求（RRC connection re-establishment request）を生成する。例えば、再接続要求部１０９は、識別子管理部１１３で管理されているMeNBのPCellの情報（PCI、C-RNTI及びshortMAC-I）を用いて再接続要求を生成し、再接続要求が失敗した場合に、SeNBのSCellの情報（PCI、C-RNTI及びshortMAC-I）を用いて再接続要求を生成する。SeNBに対してshortMAC-Iが割り当てられていない場合には、MeNBのshortMAC-Iが用いられてもよく、ダミーのshortMAC-Iが用いられてもよい。なお、複数のSCellが設定されている場合、eNB Indexの小さい順／大きい順にSCellの情報を選択してもよく、SCell Indexの小さい順／大きい順にSCellの情報を選択してもよく、SCellの中で品質の良い順にSCellの情報を選択してもよい。生成されたRRC connection re-establishment requestは、UL信号送信部１０３から受信品質の良い基地局に送信される。
【００６１】
再接続要求の失敗には、RRC connection re-establishment requestで不適切な識別子を用いたこと等により基地局からRRC connection re-establishment rejectを受信した場合、タイマ（T301）が満了するまでにRRC connection re-establishment requestに対する応答を受信しなかった場合が含まれる。
【００６２】
次に、基地局について説明する。移動局から送信された再接続要求を受信した基地局がMeNBである場合、MeNBと移動局との間で図１に示す再接続手順が行われる。すなわち、基地局は通常の再接続手順を行えばよい。一方、移動局から送信された再接続要求を受信した基地局がSeNBである場合、SeNBは再接続要求をMeNBに転送し、MeNBと移動局との間で図１に示す再接続手順が行われる。このときのSeNBの構成について詳細に説明する。
【００６３】
本発明の実施例の第２の手法による基地局２０は、図４と同様に構成される。UL信号受信部２０１、DL信号送信部２０３、CC管理部２０９及び識別子管理部２１１は、図４を参照して説明した通りであるため、ここでは繰り返し説明しない。なお、第２の手法では、SeNBは予めMeNBのPCellの情報を受信する必要はないため、PCell情報記憶部２０５は省略されてもよい。
【００６４】
再接続要求転送部２０７は、移動局から受信した再接続要求（RRC connection re-establishment request）を、eNB間通信部２１３を介してMeNBに転送する。再接続要求転送部２０７は、移動局からRRC connection re-establishment requestを受信すると、RRC connection re-establishment requestに含まれるPCI及びC-RNTIが自局のPCI及びC-RNTIと一致するか否かを確認し、一致する場合、RRC connection re-establishment requestをMeNBに転送する。MeNBに転送するRRC connection re-establishmentには、自局であるSeNBのPCI及びC-RNTIが含まれる。一方、RRC connection re-establishment requestに含まれるPCI及びC-RNTIが自局のPCI及びC-RNTIと一致しない場合、RRC connection re-establishment rejectを移動局に送信する。
【００６５】
MeNBがRRC connection re-establishment requestを受信すると、MeNBと移動局との間でRRC connection re-establishment、RRC connection re-establishment complete、RRC connection reconfiguration、RRC connection reconfiguration completeのメッセージが交換され、再接続手順が完了する。なお、MeNBは、SeNBの情報が含まれるRRC connection re-establishment requestを受信すると、これはSeNBから転送された再接続要求であると判断し、移動局に対して再接続手順を進める。
【００６６】
なお、SeNBは、RRC connection re-establishment requestをMeNBに転送するだけでなく、その応答であるRRC connection re-establishmentをMeNBから受信して移動局に転送してもよい。また、SeNBは、図１に示す再接続手順の他のメッセージ（RRC connection re-establishment complete、RRC connection reconfiguration、RRC connection reconfiguration complete）をMeNB或いは移動局に転送してもよい。
【００６７】
図７に、本発明の実施例の第２の手法による再接続要求方法を示す。図７に示す方法は、移動局により実施される手順を示している。
【００６８】
移動局の再接続判定部１０７が再接続手順を起動する契機を検出した場合、移動局の再接続要求部１０９は、基地局に対して再接続手順を起動する（ステップＳ２１）。
【００６９】
再接続要求部１０９は、PCellの情報及びSCellの情報を所定の順序で選択し、再接続要求（RRC connection re-establishment request）を生成する。ここで、eNB毎にインデックスkが割り当てられているものとする。k=0はMeNBに割り当てられてもよく、k=1〜k_maxは、eNB Indexの小さいSeNB順／大きいSeNB順に割り当てられてもよい。また、k=1〜k_maxは、SCell Indexの小さいSeNB順／大きいSeNB順に割り当てられてもよく、SCellの中で品質の良いSeNB順に割り当てられてもよい。ただし、k_maxは移動局が接続している基地局の数である。
【００７０】
まず、インデックスk=0とし（ステップＳ２２）、再接続要求部１０９は、MeNBのPCellの情報を用いて再接続要求（RRC connection re-establishment request）を生成し、基地局に送信する（ステップＳ２３）。具体的には、再接続要求部１０９は、識別子管理部１１３において管理されているPCellのPCI、C-RNTI及びshortMAC-Iを用いてRRC connection re-establishment requestを生成し、送信する。MeNBとの間で再接続が成功した場合（ステップＳ２４：Ｙｅｓ）、処理を終了する。
【００７１】
再接続が失敗した場合（ステップＳ２４：Ｎｏ）、インデックスkをインクリメントし、次の基地局の情報を用いて再接続を試みる（ステップＳ２５）。kがk_max未満の場合には（ステップＳ２６：Ｙｅｓ）、インデックスkが示すSeNBのSCellの情報を用いて再接続要求を生成し、基地局に送信する（ステップＳ２３）。以下、kがk_max以上になるまで処理が繰り返される。
【００７２】
図８に、本発明の実施例の第２の手法による移動局から基地局への再接続手順を示す。
【００７３】
移動局の再接続判定部１０７が再接続手順を起動する契機を検出した場合、移動局の再接続要求部１０９は、基地局に対して再接続手順を実施する。MeNBの受信品質が良く、移動局がMeNBに再接続を要求する場合は、図１に示す再接続手順が実施されるため、ここでは説明を省略する。SeNBの受信品質が良く、移動局がSeNBに再接続を要求する場合、移動局の再接続要求部１０９は、SeNBに対してRA preambleを送信する（ステップＳ２０３）。そして、SeNBから送信割り当て情報を含むRA responseを受信する（ステップＳ２０５）。
【００７４】
移動局の再接続要求部１０９は、PCellのPCI及びC-RNTIを用いてRRC connection re-establishment requestを生成し、SeNBに送信する（ステップＳ２０７―１）。
【００７５】
SeNBの再接続要求転送部２０７は、RRC connection re-establishment requestに含まれるPCI及びC-RNTIが自局のPCI及びC-RNTIと一致しないため、RRC connection re-establishment rejectを移動局に送信する（ステップＳ２０８）。
【００７６】
次に、移動局の再接続要求部１０９は、SCellのPCI及びC-RNTIを用いてRRC connection re-establishment requestを生成し、SeNBに送信する（ステップＳ２０７−２）。複数のSCellが設定されている場合、eNB Indexの小さい順／大きい順、SCell Indexの小さい順／大きい順、又はSCellの中で品質の良い順にSCellのPCI及びC-RNTIが用いられる。
【００７７】
SeNBの再接続要求転送部２０７は、移動局から受信したRRC connection re-establishment requestに含まれるPCI及びC-RNTIが自局のPCI及びC-RNTIと一致するか否かを確認し、一致する場合、RRC connection re-establishment requestをMeNBに転送する（ステップＳ２０９）。
【００７８】
その後、移動局とMeNBとの間で再接続手順が実施され、RRC connection re-establishment（ステップＳ２１１）、RRC connection re-establishment complete（ステップＳ２１３）、RRC connection reconfiguration（ステップＳ２１５）、RRC connection reconfiguration complete（ステップＳ２１７）の送受信が行われる。
【００７９】
なお、図８では、RRC connection re-establishment、RRC connection re-establishment complete、RRC connection reconfiguration及びRRC connection reconfiguration completeが移動局とMeNBとの間で送受信されているが、これらのメッセージのうち１つ以上がSeNBを介して送受信されてもよい。
【００８０】
第２の手法では、移動局が順にセルの情報を選択して再接続要求を行うため、再接続に要する時間が長くなる可能性がある。移動局は、再接続要求が失敗したと判断するためのタイマ（T301）を保持する。具体的には、移動局は、受信品質の最も良い基地局に対してRRC connection re-establishment requestを送信するが、タイマ（T301）が満了するまでに、RRC connection re-establishmentを受信しない場合、再接続要求が失敗したと判断する。再接続に伴うユーザ遅延の観点から、移動局は、RRC connection re-establishment requestで報告するセルの情報を変更する毎に、タイマ（T301）の値を変更するタイマ設定部（図示せず）を有してもよい。例えば、MeNBの情報を用いて再接続要求を生成する場合、T301=1秒と設定し、SeNBの情報を用いて再接続要求を生成する場合、T301=300msと設定してもよい。また、T301は、基地局からのRRCシグナリングにより通知されてもよい。
【００８１】
＜第３の手法＞
本発明の実施例の第３の手法では、移動局が、基地局から指定されたセルの情報を用いて再接続要求を行う。例えば、MeNBがスモールセル基地局である場合、マクロセルで再接続手順を実施した方が再接続が成功する可能性が高い。このため、基地局は、移動局に対して再接続先セルを指定し、移動局は、基地局から指定されたセルの情報を用いて再接続要求を行う。
【００８２】
本発明の実施例の第３の手法による移動局１０は、図３と同様に構成される。UL信号送信部１０３、品質測定部１０５、再接続判定部１０７、CC管理部１１１及び識別子管理部１１３は、図３を参照して説明した通りであるため、ここでは繰り返し説明しない。
【００８３】
DL信号受信部１０１は、基地局からの下りリンク信号を受信する。再接続手順に関して、DL信号受信部１０１は、再接続要求内で用いるセル（再接続先セル）の情報を受信する。再接続先セルの情報は、Dual Connectivityの設定時に基地局から受信してもよい。例えば、再接続先セルの情報は、SCellの追加時に設定されたフラグでもよい。フラグが設定されている場合、移動局１０は、再接続先セルであると判断しもよい。フラグが設定されていない場合、移動局１０は、デフォルトのセル（例えば、PCell、受信品質の最も良いセル、SCell Indexの最も小さいセル／最も大きいセル、Cell Indexの最も小さいセル／最も大きいセル）を再接続先セルとして判断してもよい。また、移動局１０は、フラグが設定されているセルが既に存在する状態で、更にフラグを受信した場合、最新のフラグに従って再接続先セルを判断してもよい。再接続先セルを示すフラグは、セルの識別子と共に識別子管理部１１３で管理される。
【００８４】
また、図３を参照して説明した通り、再接続手順に関して、DL信号受信部１０１は、基地局からRA response、RRC connection re-establishment、RRC connection reconfigurationのようなメッセージを受信する。また、DL信号受信部１０１は、基地局に対する受信品質を測定するための信号を受信する。
【００８５】
再接続要求部１０９は、基地局に対して再接続手順を実施する。再接続要求部１０９は、基地局から指定された再接続先セルの情報を用いて再接続要求（RRC connection re-establishment request）を生成する。具体的には、再接続要求部１０９は、識別子管理部１１３で管理されている再接続先セルを示すフラグに従って、再接続先セルのPCI、C-RNTI及びshortMAC-Iを用いてRRC connection re-establishment requestを生成する。再接続先セルを示すフラグが設定されていない場合、再接続要求部１０９は、デフォルトのセルのPCI、C-RNTI及びshortMAC-Iを用いてRRC connection re-establishment requestを生成する。SeNBに対してshortMAC-Iが割り当てられていない場合には、MeNBのshortMAC-Iが用いられてもよく、ダミーのshortMAC-Iが用いられてもよい。
【００８６】
次に、基地局について説明する。基地局はDual Connectivityの設定時に、移動局に対して再接続要求内で報告するセル（再接続先セル）を指定する。移動局から送信された再接続要求を受信した基地局が再接続先セルの基地局である場合、当該基地局と移動局との間で図１に示す再接続手順が行われる。すなわち、基地局は通常の再接続手順を行えばよい。一方、移動局から送信された再接続要求を受信した基地局が再接続先セルの基地局でない場合、当該基地局は再接続要求を再接続先セルの基地局に転送し、再接続先セルの基地局と移動局との間で図１に示す再接続手順が行われる。このときの基地局の構成について詳細に説明する。
【００８７】
図９に、本発明の実施例の第３の手法による基地局２５の構成図を示す。基地局２５は、UL信号受信部２５１と、DL信号送信部２５３と、再接続先セル指定部２５５と、再接続要求処理部２５６と、再接続要求転送部２５７と、CC管理部２５９と、識別子管理部２６１と、eNB間通信部２６３とを有する。UL信号受信部２５１、DL信号送信部２５３、CC管理部２５９、識別子管理部２６１及びeNB間通信部２６３は、それぞれ図４に示すUL信号受信部２０１、DL信号送信部２０３、CC管理部２０９、識別子管理部２１１及びeNB間通信部２１３と同様に構成される。
【００８８】
再接続先セル指定部２５５は、移動局に対して再接続要求内で報告するセル（再接続先セル）を指定する。再接続先セルは、Dual Connectivityの設定時にフラグにより指定されてもよい。上記のように、フラグが設定されている場合、移動局は、フラグが設定されたセルが再接続先セルであると判断してもよい。フラグが設定されていない場合、移動局は、デフォルトのセルを再接続先セルとして扱ってもよい。また、再接続先セルを変更する際に、再接続先セル指定部２５５は、再接続先セルを示すフラグを再度指定してもよい。上記のように、移動局は、フラグが設定されているセルが既に存在する状態で、更にフラグを受信した場合、最新のフラグに従って再接続先セルを判断してもよい。或いは、再接続先セルを変更する際に、再接続先セル指定部２５５は、現在設定されているセルのフラグをオフにして、再接続先セルを示すフラグを指定してもよい。同様に、再接続先セルを変更する際に、再接続先セル指定部２５５は、現在設定されているセルのフラグの削除及び再接続先セルを示すフラグの追加を行ってもよい。
【００８９】
再接続要求処理部２５７は、移動局から受信した再接続要求（RRC connection re-establishment request）が自局宛の再接続要求である場合、移動局との間で再接続手順を実施する。具体的な再接続手順は、図１と同様になる。
【００９０】
再接続要求転送部２５９は、移動局から受信した再接続要求（RRC connection re-establishment request）が自局宛の再接続要求でない場合、eNB間通信部２１３を介して再接続要求を再接続先セルの基地局に転送する。
【００９１】
図１０に、本発明の実施例の第３の手法による再接続要求方法を示す。図１０に示す方法は、移動局により実施される手順を示している。
【００９２】
移動局の再接続判定部１０７が再接続手順を起動する契機を検出した場合、移動局の再接続要求部１０９は、基地局に対して再接続手順を起動する（ステップＳ３１）。
【００９３】
再接続要求部１０９は、基地局から指定された再接続先セルの情報を用いて再接続要求（RRC connection re-establishment request）を生成し、基地局に送信する（ステップＳ３２）。具体的には、再接続要求部１０９は、識別子管理部１１３において管理されている再接続先セルのフラグに従って、再接続先セルのPCI、C-RNTI及びshortMAC-Iを用いてRRC connection re-establishment requestを生成し、送信する。
【００９４】
図１１に、本発明の実施例の第３の手法による移動局から基地局への再接続手順を示す。図８では、スモールセル基地局であるMeNBがマクロセル基地局を再接続先セルとして指定する場合について説明する。
【００９５】
まず、MeNBは、Dual Connectivityの設定時に、再接続先セルを移動局に通知する（ステップＳ３０１）。再接続先セルの情報は、移動局のセル情報記憶部１０５に格納される。
【００９６】
移動局の再接続判定部１０７が再接続手順を起動する契機を検出した場合、移動局の再接続要求部１０９は、指定された再接続先セルの情報を用いて再接続手順を実施する。マクロセルの受信品質が良く、移動局がマクロセル基地局に再接続を要求する場合は、図１に示す再接続手順が実施されるため、ここでは説明を省略する。スモールセルの受信品質が良く、移動局がスモールセル基地局に再接続を要求する場合、移動局の再接続要求部１０９は、スモールセル基地局に対してRA preambleを送信する（ステップＳ３０３）。そして、スモールセル基地局から送信割り当て情報を含むRA responseを受信する（ステップＳ３０５）。
【００９７】
移動局の再接続要求部１０９は、指定された再接続先セルのPCI及びC-RNTIを用いてRRC connection re-establishment requestを生成し、SeNBに送信する（ステップＳ３０７）。
【００９８】
スモールセル基地局の再接続要求転送部２０７は、移動局から受信したRRC connection re-establishment requestに含まれるPCI及びC-RNTIが自局のPCI及びC-RNTIと一致するか否かを確認し、一致しない場合、RRC connection re-establishment requestを再接続先セルの基地局に転送する（ステップＳ３０９）。
【００９９】
その後、移動局とマクロセル基地局との間で再接続手順が実施され、RRC connection re-establishment（ステップＳ３１１）、RRC connection re-establishment complete（ステップＳ３１３）、RRC connection reconfiguration（ステップＳ３１５）、RRC connection reconfiguration complete（ステップＳ３１７）の送受信が行われる。
【０１００】
なお、図１１では、RRC connection re-establishment、RRC connection re-establishment complete、RRC connection reconfiguration及びRRC connection reconfiguration completeが移動局とマクロセル基地局との間で送受信されているが、これらのメッセージのうち１つ以上がスモールセル基地局を介して送受信されてもよい。
【０１０１】
＜本発明の実施例の効果＞
上記のように本発明の実施例によれば、移動局が異なる基地局の配下のCCを用いて通信する際に、基地局と再接続することが可能になる。
【０１０２】
第１の手法では、基地局が適切な基地局に再接続要求を転送するため、移動局は、PCellの情報を用いればよい。従って、移動局における再接続手順を簡略化することができる。
【０１０３】
第２の手法では、移動局が基地局に順次再接続要求を行うため、事前に基地局間でセルの情報を交換する必要はない。再接続に伴うユーザ遅延が発生する場合があるが、再接続要求が失敗したと判断するタイマ（T301）を設定することで、ユーザ遅延を低減することができる。
【０１０４】
第１の手法及び第２の手法は、移動局はMeNBに対して優先的に再接続する。一方、MeNBがスモールセルであり、マクロセルに対して再接続した方が再接続の可能性の観点から好ましい場合、第３の手法が用いられる。第３の手法によれば、基地局が再接続先セルを指定することができるため、再接続の可能性が高いマクロセルを再接続先に指定することが可能になる。
【０１０５】
説明の便宜上、本発明の実施例に係る基地局及び移動局は機能的なブロック図を用いて説明しているが、本発明の実施例に係る基地局及び移動局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【０１０６】
以上、移動局が異なる基地局の配下のCCを用いて通信する際に、基地局との再接続を実現するための手法について説明したが、本発明は、上記の実施例に限定されることなく、特許請求の範囲内において、種々の変更・応用が可能である。
【符号の説明】
【０１０７】
１０    移動局
１０１  DL信号受信部
１０３  UL信号送信部
１０５  品質測定部
１０７  再接続判定部
１０９  再接続要求部
１１１  CC管理部
１１３  識別子管理部
２０    基地局
２０１  UL信号受信部
２０３  DL信号送信部
２０５  PCell情報記憶部
２０７  再接続要求転送部
２０９  CC管理部
２１１  識別子管理部
２１３  eNB間通信部
２５    基地局
２５１  UL信号受信部
２５３  DL信号送信部
２５５  再接続先セル指定部
２５６  再接続要求処理部
２５７  再接続要求転送部
２５９  CC管理部
２６１  識別子管理部
２６３  eNB間通信部
【図１】
2015142363.tif 000003
【図２】
2015142363.tif 000004
【図３】
2015142363.tif 000005
【図４】
2015142363.tif 000006
【図５】
2015142363.tif 000007
【図６】
2015142363.tif 000008
【図７】
2015142363.tif 000009
【図８】
2015142363.tif 000010
【図９】
2015142363.tif 000011
【図１０】
2015142363.tif 000012
【図１１】
2015142363.tif 000013